(57)【要約】【課題】原稿の画像を読み取る場合に、読み取りに関する入力が操作者の手で行われる構成と比較して、原稿の位置がずれた状態で読み取りが行われることを抑制する。【解決手段】画像処理装置は、操作者による指示に応じて原稿の画像を読み取る画像読取手段と、原稿の読み取りを行う操作者の情報を取得する読取操作者情報取得部３２と、原稿の読み取りを行うために操作者が自装置に対して行った動作に関する情報を取得する読取動作情報取得部３１と、取得した情報が予め定められた条件を満たす場合に、原稿の読み取りに関する視線による入力を操作者から受け付けるための表示を行う表示制御部３４とを備える。【選択図】図３
2019036927.tif 000002
【特許請求の範囲】
【請求項１】
操作者による指示に応じて原稿の画像を読み取る画像読取手段と、
原稿の読み取りを行う操作者の情報又は原稿の読み取りを行うために操作者が自装置に対して行った動作に関する情報を取得する取得手段と、
前記取得手段が取得した情報が予め定められた条件を満たす場合に、原稿の読み取りに関する視線による入力を操作者から受け付けるための表示を行う表示手段と
を備える画像処理装置。
【請求項２】
前記取得手段は、原稿が置かれる原稿台又は当該原稿台に置かれた原稿を押さえるために開閉可能に設けられた原稿押さえ部材に対して操作者が行った動作に関する情報を取得し、
前記表示手段は、前記取得手段が取得した情報において、前記原稿台又は前記原稿押さえ部材に対して予め定められた動作が行われた場合に、前記表示を行うこと
を特徴とする請求項１に記載の画像処理装置。
【請求項３】
前記取得手段は、前記原稿台に対する押圧の大きさを取得し、
前記表示手段は、前記原稿押さえ部材が開いた状態において前記押圧の大きさが予め定められた閾値以上である場合に、前記表示を行うこと
を特徴とする請求項２に記載の画像処理装置。
【請求項４】
前記取得手段は、前記原稿押さえ部材が開閉されたことを示す情報を取得し、
前記表示手段は、前記原稿押さえ部材が開いている時間が予め定められた時間を経過した場合に、前記表示を行うこと
を特徴とする請求項２に記載の画像処理装置。
【請求項５】
前記取得手段は、操作者の手の状態を示す情報を取得し、
前記表示手段は、前記取得手段が取得した情報において、操作者の手の状態が予め定められた状態である場合に、前記表示を行うこと
を特徴とする請求項１に記載の画像処理装置。
【請求項６】
原稿が置かれる原稿台を撮影する撮影手段をさらに備え、
前記取得手段は、操作者の手の状態を示す情報として、前記撮影手段が撮影した画像を取得し、
前記表示手段は、前記取得手段が取得した画像において、操作者の両手が前記原稿台上にある場合に、前記表示を行うこと
を特徴とする請求項５に記載の画像処理装置。
【請求項７】
前記取得手段は、操作者により設定された画像読み取りの条件を取得し、
前記表示手段は、前記取得手段が取得した画像読み取りの条件において、複数枚の用紙からなり見開き部を有する原稿を読み取る設定が行われた場合に、前記表示を行うこと
を特徴とする請求項１に記載の画像処理装置。
【請求項８】
前記表示手段は、前記設定が行われた後、原稿台に原稿が置かれた場合に、前記表示を行うこと
を特徴とする請求項７に記載の画像処理装置。
【請求項９】
操作者による指示に応じて原稿の画像を読み取る画像読取手段と、
見開き原稿を読み取る設定がされた場合に、原稿の読み取りに関する視線による入力を操作者から受け付けるための表示を行う表示手段と
を備える画像処理装置。
【請求項１０】
操作者により選択された、通常の画像読取モードとは異なる特定画像読取モードの情報を取得する取得手段と、
前記特定画像読取モードが選択された場合に、操作者からの視線を特定するための画像を表示する表示手段と
前記表示手段に表示された前記画像に対する操作者の視線を特定することで原稿の読み取りに関する視線による入力を受け付ける受付手段と
を備える画像処理装置。
【発明の詳細な説明】
【技術分野】
【０００１】
本発明は、画像処理装置に関する。
【背景技術】
【０００２】
例えば、特許文献１には、開閉センサがオフ状態にあり、カバーが開いていると検知しているときにスタートキーが操作されると、制御部は、スタートキーが操作されている時間ｔを計測し、操作時間ｔが３秒を超えている場合、制御部は、スタートキーの操作終了から操作時間ｔが経過するのを待ち、読取装置による原稿読取を開始させる原稿読取装置が開示されている。
【０００３】
また、例えば、特許文献２には、プラテンガラス上にセットされた原稿の画像をシート上に再現する画像形成装置において、複写動作をスタートさせるために操作パネル上に設けた第１のスタート手段と、プラテンガラスが所定量以上の力で押さえられたことを検出し、その押圧検出信号に応じて複写動作をスタートさせる第２のスタート手段と、第１又は第２のスタート手段の少なくともいずれか一方の動作を有効とする選択手段とを備えた画像形成装置が開示されている。
【先行技術文献】
【特許文献】
【０００４】
【特許文献１】特開２００４−２３３５５７号公報
【特許文献２】特開平１０−２６８７０８号公報
【発明の概要】
【発明が解決しようとする課題】
【０００５】
画像処理装置により原稿の画像の読み取りを行う場合がある。例えば、操作者が両手で原稿台に原稿を置き、さらに読み取り開始の操作を行う場合には、原稿から手を離して読み取り開始の操作を行うこととなり、原稿の位置がずれた状態で読み取りが行われてしまう場合がある。
本発明は、原稿の画像を読み取る場合に、読み取りに関する入力が操作者の手で行われる構成と比較して、原稿の位置がずれた状態で読み取りが行われることを抑制することを目的とする。
【課題を解決するための手段】
【０００６】
請求項１に記載の発明は、操作者による指示に応じて原稿の画像を読み取る画像読取手段と、原稿の読み取りを行う操作者の情報又は原稿の読み取りを行うために操作者が自装置に対して行った動作に関する情報を取得する取得手段と、前記取得手段が取得した情報が予め定められた条件を満たす場合に、原稿の読み取りに関する視線による入力を操作者から受け付けるための表示を行う表示手段とを備える画像処理装置である。
請求項２に記載の発明は、前記取得手段は、原稿が置かれる原稿台又は当該原稿台に置かれた原稿を押さえるために開閉可能に設けられた原稿押さえ部材に対して操作者が行った動作に関する情報を取得し、前記表示手段は、前記取得手段が取得した情報において、前記原稿台又は前記原稿押さえ部材に対して予め定められた動作が行われた場合に、前記表示を行うことを特徴とする請求項１に記載の画像処理装置である。
請求項３に記載の発明は、前記取得手段は、前記原稿台に対する押圧の大きさを取得し、前記表示手段は、前記原稿押さえ部材が開いた状態において前記押圧の大きさが予め定められた閾値以上である場合に、前記表示を行うことを特徴とする請求項２に記載の画像処理装置である。
請求項４に記載の発明は、前記取得手段は、前記原稿押さえ部材が開閉されたことを示す情報を取得し、前記表示手段は、前記原稿押さえ部材が開いている時間が予め定められた時間を経過した場合に、前記表示を行うことを特徴とする請求項２に記載の画像処理装置である。
請求項５に記載の発明は、前記取得手段は、操作者の手の状態を示す情報を取得し、前記表示手段は、前記取得手段が取得した情報において、操作者の手の状態が予め定められた状態である場合に、前記表示を行うことを特徴とする請求項１に記載の画像処理装置である。
請求項６に記載の発明は、原稿が置かれる原稿台を撮影する撮影手段をさらに備え、前記取得手段は、操作者の手の状態を示す情報として、前記撮影手段が撮影した画像を取得し、前記表示手段は、前記取得手段が取得した画像において、操作者の両手が前記原稿台上にある場合に、前記表示を行うことを特徴とする請求項５に記載の画像処理装置である。
請求項７に記載の発明は、前記取得手段は、操作者により設定された画像読み取りの条件を取得し、前記表示手段は、前記取得手段が取得した画像読み取りの条件において、複数枚の用紙からなり見開き部を有する原稿を読み取る設定が行われた場合に、前記表示を行うことを特徴とする請求項１に記載の画像処理装置である。
請求項８に記載の発明は、前記表示手段は、前記設定が行われた後、原稿台に原稿が置かれた場合に、前記表示を行うことを特徴とする請求項７に記載の画像処理装置である。
請求項９に記載の発明は、操作者による指示に応じて原稿の画像を読み取る画像読取手段と、見開き原稿を読み取る設定がされた場合に、原稿の読み取りに関する視線による入力を操作者から受け付けるための表示を行う表示手段とを備える画像処理装置である。
請求項１０に記載の発明は、操作者により選択された、通常の画像読取モードとは異なる特定画像読取モードの情報を取得する取得手段と、前記特定画像読取モードが選択された場合に、操作者からの視線を特定するための画像を表示する表示手段と前記表示手段に表示された前記画像に対する操作者の視線を特定することで原稿の読み取りに関する視線による入力を受け付ける受付手段とを備える画像処理装置である。
【発明の効果】
【０００７】
請求項１記載の発明によれば、原稿の画像を読み取る場合に、読み取りに関する入力が操作者の手で行われる構成と比較して、原稿の位置がずれた状態で読み取りが行われることを抑制することができる。
請求項２記載の発明によれば、原稿台及び原稿押さえ部材に対して操作者が行った動作に関する情報を用いない構成と比較して、原稿の位置がずれた状態で読み取りが行われることを抑制する可能性を高めることができる。
請求項３記載の発明によれば、より確実に、原稿の位置がずれた状態で読み取りが行われることを抑制する可能性を高めることができる。
請求項４記載の発明によれば、より確実に、原稿の位置がずれた状態で読み取りが行われることを抑制する可能性を高めることができる。
請求項５記載の発明によれば、操作者の手の状態を示す情報を用いない構成と比較して、原稿の位置がずれた状態で読み取りが行われることを抑制する可能性を高めることができる。
請求項６記載の発明によれば、より確実に、原稿の位置がずれた状態で読み取りが行われることを抑制する可能性を高めることができる。
請求項７記載の発明によれば、原稿の画像を読み取る場合に、読み取りに関する入力が操作者の手で行われる構成と比較して、複数枚の用紙からなり見開き部を有する原稿がずれた状態で読み取りが行われることを抑制することができる。
請求項８記載の発明によれば、原稿の有無にかかわらず、原稿の読み取りに関する視線による入力を操作者から受け付けるための表示を行う構成と比較して、原稿がまだ置かれていない状態で誤って読み取りが行われることを抑制することができる。
請求項９記載の発明によれば、原稿の画像を読み取る場合に、読み取りに関する入力が操作者の手で行われる構成と比較して、原稿の位置がずれた状態で読み取りが行われることを抑制することができる。
請求項１０記載の発明によれば、原稿の画像を読み取る場合に、読み取りに関する入力が操作者の手で行われる構成と比較して、原稿の位置がずれた状態で読み取りが行われることを抑制することができる。
【図面の簡単な説明】
【０００８】
【図１】本実施の形態に係る画像処理装置の斜視図である。
【図２】本実施の形態に係る画像処理装置のハードウェア構成の一例を示したブロック図である。
【図３】制御部の機能構成の一例を示したブロック図である。
【図４】視線検知センサの構成の一例を説明するための図である。
【図５】（ａ）、（ｂ）は、視線検知センサの構成の一例を説明するための図である。
【図６】読取入力画像を表示して操作者の視線による入力を受け付ける処理手順の一例を示したフローチャートである。
【図７】実施例１の処理手順を示したフローチャートである。
【図８】（ａ）〜（ｃ）は、実施例１で表示される画面の一例を示す図である。
【図９】実施例２の処理手順を示したフローチャートである。
【図１０】（ａ）〜（ｃ）は、実施例２で表示される画面の一例を示す図である。
【図１１】実施例３の処理手順を示したフローチャートである。
【図１２】（ａ）、（ｂ）は、実施例３で表示される画面の一例を示す図である。
【発明を実施するための形態】
【０００９】
以下、添付図面を参照して、本発明の実施の形態について詳細に説明する。
【００１０】
＜画像処理装置の外観＞
まず、本実施の形態に係る画像処理装置１０の外観について説明する。図１は、本実施の形態に係る画像処理装置１０の斜視図である。本実施の形態に係る画像処理装置１０は、例えば、画像読み取り機能（スキャン機能）、印刷機能（プリント機能）、複写機能（コピー機能）及びファクシミリ機能等の各種の画像処理機能を備えた、いわゆる複合機である。
【００１１】
画像処理装置１０は、スキャナ１１と、プリンタ１２と、ユーザインタフェース（ＵＩ）１３とを備える。これらのうち、スキャナ１１は、原稿に形成された画像を読み取るための装置であり、プリンタ１２は、記録材に画像を形成するための装置である。また、ユーザインタフェース１３は、操作者が画像処理装置１０を操作する際に、操作者による操作（指示）を受け付け、且つ、操作者に対し各種情報の表示を行うための装置である。
【００１２】
本実施の形態のスキャナ１１は、プリンタ１２の上方に配置されている。ここで、スキャナ１１は、図中矢印に示すように上下方向に開閉可能に設けられた原稿押さえ部材１４と、原稿が置かれる原稿台１５とを有している。そして、操作者が原稿押さえ部材１４を上方に開くことで、原稿台１５上に原稿を載せることができるように構成されている。また、操作者が原稿台１５上に原稿を載せた後、原稿押さえ部材１４を元の位置に戻す（下方に閉じる）ことにより、原稿台１５に置かれた原稿が原稿押さえ部材１４によって押さえられる。
【００１３】
なお、原稿押さえ部材１４は、原稿を収容する原稿収容部１６と、この原稿収容部１６から搬送された原稿が排出される原稿排出部１７とを有している。スキャナ１１は、原稿台１５に載せられた原稿の画像、及び、原稿収容部１６から原稿排出部１７に向けて搬送される原稿の画像の読み取りを行う。
【００１４】
ユーザインタフェース１３は、スキャナ１１に取り付けられている。ユーザインタフェース１３は、画像処理装置１０を操作する際に操作者が立つ、画像処理装置１０（スキャナ１１）のフロント側に配置される。そして、ユーザインタフェース１３は、画像処理装置１０のフロント側に立った操作者が上方から下方を見た状態で操作できるように、上方に向けて配置される。
【００１５】
ここで、ユーザインタフェース１３は、タッチパネル１３０と、操作ボタン群１３１とを有する。タッチパネル１３０は、操作者に対して各種の情報を表示し、且つ、操作者からの入力を受け付ける機能を有している。また、操作ボタン群１３１は、操作者からの入力を受け付ける機能を有している。
【００１６】
さらに、この画像処理装置１０は、視線検知センサ１８と、第１カメラ１９と、第２カメラ２０とを備える。視線検知センサ１８は、ユーザインタフェース１３における左側に、上方に向けて取り付けられている。第１カメラ１９は、ユーザインタフェース１３における上側に取り付けられている。第２カメラ２０は、プリンタ１２のフロント側且つ左側に取り付けられている。
【００１７】
視線検知センサ１８は、画像処理装置１０の周囲に存在する操作者の視線を検知する機能を有している。より具体的には、視線検知センサ１８は、ユーザインタフェース１３のタッチパネル１３０に向けられた操作者の視線を検知する。なお、図１に示す例では、視線検知センサ１８は、ユーザインタフェース１３における左側に取り付けられることとしたが、このような構成に限られない。視線検知センサ１８は、タッチパネル１３０に向けられた操作者の視線を検知可能な位置であればどの部分に取り付けられてもよく、例えば、タッチパネル１３０から予め定められた範囲内の位置に取り付けられる。
【００１８】
第１カメラ１９は、所謂ビデオカメラで構成されており、画像を撮影する機能を有している。さらに説明すると、第１カメラ１９は、原稿台１５及びユーザインタフェース１３を撮影できる位置に配置されており、原稿台１５やユーザインタフェース１３の画像を撮影する。
【００１９】
第２カメラ２０も、所謂ビデオカメラで構成されており、画像を撮影する機能を有している。さらに説明すると、第２カメラ２０は、画像処理装置１０の周囲に存在する操作者を撮影できる位置に配置されており、画像処理装置１０の周囲に存在する操作者の画像を撮影する。
なお、第１カメラ１９及び第２カメラ２０は、静止画像及び動画像の少なくとも一方を撮影する。
【００２０】
＜画像処理装置のハードウェア構成＞
次に、本実施の形態に係る画像処理装置１０のハードウェア構成について説明する。図２は、本実施の形態に係る画像処理装置１０のハードウェア構成の一例を示したブロック図である。
【００２１】
図示するように、本実施の形態に係る画像処理装置１０は、制御部２１と、通信部２２と、操作部２３と、表示部２４と、記憶部２５と、画像読取部２６と、画像形成部２７と、撮影部２８と、視線検知部２９と、認証部３０とを備える。
【００２２】
制御部２１は、画像処理装置１０の各部の動作を制御する。この制御部２１は、ＣＰＵ（Central Processing Unit）２１ａ、ＲＡＭ（Random Access Memory）２１ｂ、ＲＯＭ（Read Only Memory）２１ｃにより構成される。
ＣＰＵ２１ａは、ＲＯＭ２１ｃ等に記憶された各種プログラムをＲＡＭ２１ｂにロードして実行することにより、画像処理装置１０における各機能を実現する。ＲＡＭ２１ｂは、ＣＰＵ２１ａの作業用メモリ等として用いられるメモリ（記憶部）である。ＲＯＭ２１ｃは、ＣＰＵ２１ａが実行する各種プログラム等を記憶するメモリ（記憶部）である。
【００２３】
通信部２２は、図示しない通信回線に接続される通信用のインタフェースである。通信部２２は、クライアント装置や他の画像処理装置（ともに図示せず）と、通信回線を介して通信を行う。
【００２４】
操作部２３は、操作者の操作に応じた情報を制御部２１に入力する。この例において、操作部２３は、ユーザインタフェース１３に設けられたタッチパネル１３０、操作ボタン群１３１によって実現される。
【００２５】
表示部２４は、操作者に対し各種情報を表示する。この例において、表示部２４は、ユーザインタフェース１３に設けられたタッチパネル１３０によって実現される。
【００２６】
記憶部２５は、各種データを記憶する記憶部である。記憶部２５としては、例えば、ハードディスクが例示される。この記憶部２５は、制御部２１により用いられる各種のプログラムやデータ等を記憶する。
【００２７】
画像読取手段の一例としての画像読取部２６は、操作者による指示に応じて原稿の画像を読み取って、読み取った画像を示す画像データを生成する。この例において、画像読取部２６はスキャナ１１によって実現される。
【００２８】
画像形成部２７は、画像データに応じた画像を用紙等のシート状の記録材に形成する。この例において、画像形成部２７はプリンタ１２によって実現される。なお、画像形成部２７は、電子写真方式により画像を形成してもよいし、その他の方式により画像を形成してもよい。
【００２９】
撮影手段の一例としての撮影部２８は、撮影対象の撮影を行う。この例において、撮影部２８は、第１カメラ１９及び第２カメラ２０によって実現される。
【００３０】
視線検知部２９は、画像処理装置１０の周囲に存在する操作者の視線を検知する機能を有している。この例において、視線検知部２９は、視線検知センサ１８によって実現される。
【００３１】
認証部３０は、操作者が画像処理装置１０を操作しようとする際の操作者の認証を行う。例えば、操作者が自身の社員証などのＩＣ（Integrated Circuit）カードを画像処理装置１０のＩＣカードリーダー（不図示）に翳すことにより、操作者が特定され、認証が行われる。この場合、認証部３０はカードリーダーによって実現される。また、例えば、第２カメラ２０により撮影された操作者の顔画像により認証を行うこととしてもよい。より具体的には、例えば、第２カメラ２０により撮影された顔画像と事前に登録された顔画像とを比較することにより、操作者が特定され、認証が行われる。この場合、認証部３０は、第２カメラ２０により撮影された顔画像と事前に登録された顔画像とを比較して操作者を特定する処理を行う処理装置によって実現される。
【００３２】
そして、この画像処理装置１０では、制御部２１による制御の下、画像読取部２６によってスキャン機能が実現され、画像形成部２７によってプリント機能が実現され、画像読取部２６及び画像形成部２７によってコピー機能が実現され、画像読取部２６、画像形成部２７及び通信部２２によってファクシミリ機能が実現される。
【００３３】
＜制御部の機能構成＞
次に、制御部２１の機能構成について説明する。図３は、制御部２１の機能構成の一例を示したブロック図である。制御部２１は、読取動作情報取得部３１と、読取操作者情報取得部３２と、条件判定部３３と、表示制御部３４と、操作入力受付部３５と、視線入力受付部３６とを有する。
【００３４】
取得手段の一例としての読取動作情報取得部３１は、原稿の読み取りを行うために操作者が画像処理装置１０に対して行う動作に関する情報（以下、読取動作情報と称する）を取得する。読取動作情報は、例えば、第１カメラ１９の撮影により得られた原稿台１５の画像やユーザインタフェース１３の画像、原稿台１５が押さえられていることによる押圧の大きさを示す情報である。読取動作情報の詳細については、後述する。
【００３５】
取得手段の一例としての読取操作者情報取得部３２は、画像処理装置１０において原稿の読み取りを行う操作者の情報（以下、読取操作者情報と称する）を取得する。読取操作者情報は、例えば、第２カメラ２０の撮影により得られた操作者の画像や、認証部３０によって特定された操作者の情報である。読取操作者情報の詳細については、後述する。
【００３６】
条件判定部３３は、読取動作情報又は読取操作者情報が予め定められた条件を満たすか否かを判定する。
【００３７】
表示手段の一例としての表示制御部３４は、条件判定部３３によって読取動作情報又は読取操作者情報が予め定められた条件を満たすと判定された場合に、原稿の読み取りに関する視線による入力を操作者から受け付けるための表示を行う。ここで、表示制御部３４は、原稿の読み取りに関する視線による入力を操作者から受け付ける画像（以下、読取入力画像と称する）をタッチパネル１３０に表示する。この読取入力画像は、操作者からの視線を特定するための画像の一例として用いられる。
【００３８】
付言すると、例えば、複数枚の用紙からなり見開き部を有する原稿（以下「見開き原稿」と称する）の読み取りを行う場合には、原稿の位置がずれないように、操作者は、原稿台１５上にセットした原稿を両手で押さえた状態で読み取りを実行することがある。本実施の形態では、このような状況において操作者の視線による入力を有効にするために、操作者の両手が塞がっていると想定されるような条件を予め定めておき、この条件を満たすと判定された場合に、表示制御部３４が読取入力画像を表示する。
なお、以下では、この予め定められた条件を「視線入力条件」と称する場合がある。視線入力条件の詳細については、後述する。
【００３９】
操作入力受付部３５は、操作者の操作による入力を受け付ける。ここで、操作入力受付部３５は、ユーザインタフェース１３上での操作者による接触操作を検知して、操作者からの入力を受け付ける。例えば、操作入力受付部３５は、メニュー画面上で、コピー機能に関するアイコンが押下されたことを検知して、コピー機能の選択を受け付ける。
【００４０】
受付手段の一例としての視線入力受付部３６は、操作者の視線による入力を受け付ける。ここで、視線入力受付部３６は、例えば定期的に（例えば１００ミリ秒毎に）、視線検知センサ１８から、操作者の視線が向けられている位置の情報（以下、視線位置情報と称する）を取得する。そして、取得した視線位置情報を基に、操作者の視線による入力を受け付ける。より具体的には、視線入力受付部３６は、取得した視線位置情報により操作者の視線を特定し、操作者の視線が読取入力画像に向けられているか否かを判定する。操作者の視線が読取入力画像に向けられていると判定した場合には、操作者の視線が向けられている位置に応じた入力を受け付ける。
【００４１】
例えば、操作者の視線が、読取入力画像内のコピー機能の「スタート」ボタンに向けられていると判定された場合には、視線入力受付部３６は、コピー機能を実行する入力を受け付ける。そして、コピー機能が実行される。即ち、画像読取部２６による画像読み取り、画像形成部２７による画像形成が実行される。また、例えば、操作者の視線が、読取入力画像内の「設定に戻る」ボタンに向けられていると判定された場合には、視線入力受付部３６は、コピー機能の設定画面を表示する入力を受け付ける。そして、コピー機能の設定画面が表示される。即ち、表示制御部３４がコピー機能の設定画面を表示する。
【００４２】
付言すると、視線入力受付部３６は、タッチパネル１３０（図１参照）において直交座標系を考え、例えば、タッチパネル１３０の左上の隅を原点Ｏ１（０、０）とし、タッチパネル１３０の水平方向の座標をＸ座標、タッチパネル１３０の上下方向の座標をＹ座標とする。また、視線入力受付部３６は、視線位置情報として、例えば、操作者の視線が向けられている位置のＸ座標、Ｙ座標の情報を取得する。そして、視線入力受付部３６は、操作者の視線が向けられている位置のＸ座標、Ｙ座標の情報と、読取入力画像が配置された位置のＸ座標、Ｙ座標の情報とを基に、操作者の視線が読取入力画像に向けられているか否か、操作者の視線が読取入力画像内のどの位置に向けられているかを判定する。
【００４３】
なお、本実施の形態では、読取入力画像が表示されている場合にも、操作者の接触操作による入力も可能とする。即ち、読取入力画像が表示されている場合であっても、操作入力受付部３５は、操作者の操作による入力を受け付けるものとする。
【００４４】
そして、図３に示す制御部２１を構成する各機能部は、ソフトウェアとハードウェア資源とが協働することにより実現される。具体的には、画像処理装置１０を図２に示したハードウェア構成にて実現した場合、ＲＯＭ２１ｃに格納されているＯＳのプログラムやアプリケーション・プログラムが、ＲＡＭ２１ｂに読み込まれてＣＰＵ２１ａに実行されることにより、読取動作情報取得部３１、読取操作者情報取得部３２、条件判定部３３、表示制御部３４、操作入力受付部３５、視線入力受付部３６等の機能部が実現される。
【００４５】
＜視線検知センサの構成＞
次に、視線検知センサ１８（図１参照）の構成について説明する。図４及び図５（ａ）、（ｂ）は、視線検知センサ１８の構成の一例を説明するための図である。
【００４６】
図４に示すように、視線検知センサ１８は、操作者の眼球１０１に赤外光をスポット状に照射する光源１８１を有し、眼球１０１からの赤外反射光は接眼レンズ１８２に設けられた微小開口絞りを経て光学レンズ群１８３に入射する。光学レンズ群１８３は入射した赤外反射光をＣＣＤ１８４の撮像面上に点状に結像させ、ＣＣＤ１８４は撮像面に結像した角膜反射による虚像（プルキニエ像）を電気信号に変換して出力する。
【００４７】
この虚像は、図５（ａ）、（ｂ）に示すように、光源１８１（図４参照）から照射された赤外光の瞳孔１０２の角膜反射による虚像１０３であり、瞳孔１０２の中心と虚像１０３との相対的位置関係は、眼球１０１の回転角に比例して変化する。本実施の形態では、ＣＣＤ１８４からの虚像を示す電気信号を用いて画像処理が行われ、この画像処理の結果に基づき操作者の視線（操作者の視線の向き、操作者の視線が向けられている位置）が検知される。
【００４８】
なお、操作者の視線検知は、他の公知の方法で行ってもよく、図４、図５にて示した方法に限られるものではない。
また、視線検知センサ１８としては、例えば、トビー・テクノロジー社製のアイトラッカー等を用いれば良い。
【００４９】
＜読取動作情報、読取操作者情報、視線入力条件の説明＞
次に、読取動作情報、読取操作者情報、視線入力条件について、詳細に説明する。上述したように、視線入力条件は、操作者の両手が塞がっていると想定されるような条件として予め定められており、条件判定部３３は、読取動作情報又は読取操作者情報が視線入力条件を満たすか否かを判定する。ここで、読取動作情報が視線入力条件を満たす場合と、読取操作者情報が視線入力条件を満たす場合のそれぞれについて説明する。
【００５０】
まず、読取動作情報が視線入力条件を満たす場合について説明する。
この場合の視線入力条件は、操作者の両手が塞がっていると想定されるような操作者の動作を定めたものである。また、判定に用いられる読取動作情報は、原稿台１５や原稿押さえ部材１４、ユーザインタフェース１３等の画像処理装置１０の構成部品に対して操作者が行った動作に関する情報である。そして、条件判定部３３は、読取動作情報において、視線入力条件に定められた動作が操作者によって行われたか否かを判定する。
【００５１】
より具体的には、視線入力条件として、例えば、「原稿台１５上に操作者の両手がある」という条件が定められる。この場合の読取動作情報は、原稿台１５に対して行われた操作者の動作に関する情報であり、例えば、第１カメラ１９の撮影により得られた原稿台１５の画像である。条件判定部３３は、原稿台１５の画像において、原稿台１５上に操作者の両手があるか否かを判定する。例えば、原稿台１５の画像に操作者の両手の画像情報が含まれている場合、条件判定部３３は、読取動作情報が視線入力条件を満たすと判定する。
【００５２】
ここで、操作者が原稿台１５上で原稿を両手で押さえている場合には、原稿台１５が予め定められた大きさ以上の力で押されていることが考えられる。そこで、視線入力条件として、例えば、「原稿押さえ部材１４が開いた状態で、原稿台１５が予め定められた閾値以上の力で押されている」という条件を定めてもよい。この場合の読取動作情報は、原稿押さえ部材１４が開いた状態での原稿台１５に対する押圧の大きさを示す情報である。条件判定部３３は、この読取動作情報において、原稿台１５に対する押圧が予め定められた閾値以上であるか否かを判定する。
【００５３】
なお、操作者が原稿台１５上で原稿を押さえるときの押圧の大きさは、原稿押さえ部材１４が閉じているときに原稿押さえ部材１４が原稿を押さえるときの押圧の大きさとは異なると考えられる。そこで、原稿押さえ部材１４が閉じているときの押圧を測定しておき、測定された押圧とは異なる大きさの力で原稿台１５が押されている場合に、視線入力条件を満たすこととしてもよい。さらに、操作者が原稿台１５上で原稿を押さえるときの押圧の大きさは予め定められた範囲内になると考えられるため、原稿台１５が予め定められた範囲内の大きさの力で押されている場合に、視線入力条件を満たすこととしてもよい。このように、視線入力条件は、原稿台１５に対する操作者の動作に基づく条件、又は原稿台１５に対する押圧の大きさに基づく条件として捉えることができる。
【００５４】
また、操作者がユーザインタフェース１３に対する操作をしていない場合には、操作者が原稿台１５上で原稿を両手で押さえている可能性がある。そこで、視線入力条件として、例えば、「予め定められた時間、ユーザインタフェース１３上に操作者の手（指）がない」という条件を定めてもよい。この場合の読取動作情報は、ユーザインタフェース１３に対して行われた操作者の動作に関する情報であり、例えば、第１カメラ１９の撮影により得られたユーザインタフェース１３の画像である。条件判定部３３は、ユーザインタフェース１３の画像において、ユーザインタフェース１３上に操作者の手がないか否かを判定する。例えば、予め定められた時間、ユーザインタフェース１３の画像に操作者の手の画像情報が含まれていない場合に、条件判定部３３は、読取動作情報が視線入力条件を満たすと判定する。
【００５５】
さらに、この視線入力条件を「原稿押さえ部材１４が開いた状態」に限定してもよい。即ち、「原稿押さえ部材１４が開いた状態で、予め定められた時間、ユーザインタフェース１３上に操作者の手（指）がない」ことを視線入力条件としてもよい。このように、視線入力条件は、ユーザインタフェース１３に対する操作者の動作に基づく条件として捉えることができる。
【００５６】
また、通常、原稿の読み取りについては、原稿押さえ部材１４が閉じられた状態で行われる。そのため、原稿押さえ部材１４が上方に開いている場合には、操作者が、原稿台１５上で原稿を両手で押さえている可能性がある。そこで、視線入力条件として、例えば、「原稿押さえ部材１４が開いている時間が予め定められた時間を経過した」という条件を定めてもよい。この場合の読取動作情報は、原稿押さえ部材１４に対して行われた操作者の動作に関する情報であり、例えば、原稿押さえ部材１４が開閉されたことを示す情報である。条件判定部３３は、この読取動作情報において、原稿押さえ部材１４が開いている時間が予め定められた時間を経過したか否かを判定する。このように、視線入力条件は、原稿押さえ部材１４に対する操作者の動作に基づく条件として捉えることができる。
【００５７】
さらに、見開き原稿を読み取る設定（以下、ブック設定と称する）を操作者が選択した場合には、その後に操作者が原稿台１５上で見開き原稿を両手で押さえることが考えられる。そこで、視線入力条件として、例えば、「ブック設定が選択された」という条件を定めてもよい。この場合の読取動作情報は、ユーザインタフェース１３に対して行われた操作者の動作に関する情報であり、言い換えると、操作者により設定された画像読取の条件（画像読取モード）を示す情報である。条件判定部３３は、この読取動作情報において、ブック設定が選択された場合、読取動作情報が視線入力条件を満たすと判定する。
【００５８】
また、ブック設定に限らず、特定の画像読取モードが操作者に選択された場合に、視線入力条件を満たすこととしてもよい。特定の画像読取モードは、通常の画像読取モード（例えば、標準設定のコピー機能、スキャン機能）とは異なる画像読取モードであり、どの画像読取モードを特定の画像読取モードにするか、事前に操作者等によって設定される。
【００５９】
また、ブック設定などの特定の画像読取モードが選択された後、さらに原稿台１５上に原稿が置かれた場合に、視線入力条件を満たすこととしてもよい。この場合の読取動作情報は、原稿台１５に対して行われた操作者の動作に関する情報であり、原稿台１５に原稿が置かれたか否か（即ち、原稿台１５上の原稿の有無）を示す情報である。条件判定部３３は、ブック設定（特定の画像読取モード）が選択された後、読取動作情報において、原稿台１５上に原稿が置かれたか否かを判定する。なお、原稿台１５上に原稿が置かれた場合には、原稿が置かれたことが原稿台１５によって検知され、その情報を読取動作情報として読取動作情報取得部３１が取得する。
【００６０】
付言すると、ブック設定などの特定の画像読取モードが選択された場合には、「原稿台１５上に操作者の両手がある」等の通常の画像読取モードにおける視線入力条件も使用できる。即ち、特定の画像読取モードでは、通常の画像読取モードにおける視線入力条件とは別に、又はそのような条件に加えて、「原稿台１５上に原稿が置かれた」という視線入力条件を使用できる。
【００６１】
次に、読取操作者情報が視線入力条件を満たす場合について説明する。
この場合の視線入力条件は、操作者の両手が塞がっていると想定されるような操作者の状態を定めたものである。そして、条件判定部３３は、読取操作者情報が、視線入力条件に定められた操作者の状態を示しているか否かを判定する。
【００６２】
例えば、操作者が荷物を持っている場合には、原稿の読み取りに際して、両方の手で荷物を持っていたり、一方の手で荷物を持ちながら他方の手で原稿を押さえたりして、両手が塞がる可能性がある。そこで、視線入力条件として、例えば、「操作者が荷物を持っている」という条件が定められる。この場合の読取操作者情報は、第２カメラ２０の撮影により得られた操作者の画像である。条件判定部３３は、操作者の画像において、操作者が荷物を持っているか否かを判定する。なお、荷物を持っている箇所を限定し、例えば、「操作者が両手で荷物を持っている」、「操作者が片手で荷物を持っている」という視線入力条件を定めてもよい。
【００６３】
同様に、操作者が手（又は腕）に怪我をしている場合も、原稿の読み取りに際して両手が使えない可能性がある。そこで、視線入力条件として、例えば、「操作者が手（又は腕）に怪我をしている」という条件を定めてもよい。この場合の読取操作者情報は、第２カメラ２０の撮影により得られた操作者の画像である。条件判定部３３は、操作者の画像において、操作者が手に怪我をしているか否かを判定する。なお、怪我をしている箇所を限定し、例えば、「操作者が両手に怪我をしている」、「操作者が片手に怪我をしている」という視線入力条件を定めてもよい。
【００６４】
また、例えば、操作者が障害者の場合も、原稿の読み取りに際して両手が使えない可能性がある。そこで、視線入力条件として、例えば、「操作者が障害者である」という条件を定めてもよい。この場合の読取操作者情報は、第２カメラ２０の撮影により得られた操作者の画像である。条件判定部３３は、操作者の画像において、操作者が障害者であるか否かを判定する。なお、障害のある箇所を限定し、例えば、「操作者の手に障害がある」という視線入力条件を定めてもよい。
【００６５】
ここで、画像処理装置１０を操作する可能性のある操作者のうち、怪我をしている人の情報や障害者の情報を事前に登録しておいてもよい。そして、条件判定部３３は、認証部３０によって特定された操作者の情報と事前に登録された情報とを比較して、画像処理装置１０の操作者が怪我をしているか否か、障害者であるか否か等を判定してもよい。この場合の読取操作者情報は、認証部３０によって特定された操作者の情報である。
【００６６】
なお、条件判定部３３が第１カメラ１９や第２カメラ２０によって撮影された画像を基に、視線入力条件を満たすか否かを判定する場合には、従来の画像解析技術が用いられる。例えば、原稿台１５上に操作者の両手があるか否かを判定する場合には、事前に、原稿台１５上に両手がある場合の画像を登録しておく。そして、条件判定部３３は、撮影された原稿台１５の画像と事前に登録された画像とを比較することにより、原稿台１５に操作者の両手があるか否かを判定する。また、例えば、操作者が手に怪我をしているか否かを判定する場合には、事前に、手に怪我をしている場合の画像を登録しておく。そして、条件判定部３３は、撮影された操作者の画像と事前に登録された画像とを比較することにより、操作者が手に怪我をしているか否かを判定する。
【００６７】
また、上述した視線入力条件のうち、「原稿台１５上に操作者の両手がある」、「操作者が荷物を持っている」、「操作者が手に怪我をしている」、「操作者の手に障害がある」、「予め定められた時間、ユーザインタフェース１３上に操作者の手がない」などの条件は、操作者の手の状態に関する条件といえる。また、この場合の読取動作情報や読取操作者情報は、操作者の手の状態を示す情報として捉えることができる。そして、条件判定部３３は、読取動作情報又は読取操作者情報において、操作者の手の状態が予め定められた状態であるか否かを判定する。
【００６８】
さらに、条件判定部３３は、上述した視線入力条件のうちの何れか１つの条件を判定の対象としてもよいし、上述した視線入力条件のうちの複数の条件を判定の対象としてもよい。また、条件判定部３３が複数の条件を判定の対象とする場合、表示制御部３４は、何れか１つの条件が満たされた場合に読取入力画像を表示してもよいし、２つ以上の条件が満たされた場合に読取入力画像を表示してもよい。
【００６９】
なお、操作者の両手が塞がっていると想定されるような条件を視線入力条件としたが、実際には操作者の両手が塞がっていなかったとしても、視線入力条件が満たされた場合には、読取入力画像が表示されるものとする。
【００７０】
＜読取入力画像を表示して入力を受け付ける処理の手順＞
次に、読取入力画像を表示して操作者の視線による入力を受け付ける処理の手順について説明する。図６は、読取入力画像を表示して操作者の視線による入力を受け付ける処理手順の一例を示したフローチャートである。
【００７１】
まず、操作入力受付部３５は、原稿の読み取りを実行する機能（例えば、コピー機能、スキャン機能など）が操作者に選択されたか否かを判定する（ステップ１０１）。ステップ１０１で否定の判断（ＮＯ）がされた場合、本処理フローは終了する。一方、ステップ１０１で肯定の判断（ＹＥＳ）がされた場合、タッチパネル１３０には、操作者に選択された機能（原稿の読み取りを実行する機能）の設定を受け付ける設定画面が表示される。そして、操作者が設定画面上で操作することにより、操作入力受付部３５は、選択された機能についての設定を受け付ける（ステップ１０２）。
【００７２】
操作者による設定が行われた後、条件判定部３３は、読取動作情報又は読取操作者情報が視線入力条件を満たすか否かを判定する（ステップ１０３）。言い換えると、条件判定部３３は、読取操作者情報取得部３２が取得した読取操作者情報、又は、読取動作情報取得部３１が取得した読取動作情報を基に、視線入力条件を満たすか否かを判定する。
【００７３】
ステップ１０３で肯定の判断（ＹＥＳ）がされた場合、表示制御部３４は、タッチパネル１３０に読取入力画像を表示する（ステップ１０４）。次に、視線入力受付部３６は、読取入力画像に対する操作者の視線により、原稿の読み取りの実行を受け付けたか否かを判定する（ステップ１０５）。ステップ１０５で肯定の判断（ＹＥＳ）がされた場合、原稿の読み取りが実行される（ステップ１０６）。そして、本処理フローは終了する。一方、ステップ１０５で否定の判断（ＮＯ）がされた場合、ステップ１０２に移行する。
【００７４】
また、ステップ１０３で否定の判断（ＮＯ）がされた場合、操作入力受付部３５は、操作者の操作により、原稿読み取りの実行を受け付けたか否かを判定する（ステップ１０７）。ステップ１０７で肯定の判断（ＹＥＳ）がされた場合、ステップ１０６に移行し、原稿の読み取りが実行される。一方、ステップ１０７で否定の判断（ＮＯ）がされた場合、ステップ１０２に移行する。
【００７５】
なお、読取動作情報は、操作者の動作に関する情報のため、時刻に伴って経時的に変化する情報といえる。そのため、ステップ１０３の判定では、この判定に際して取得された読取動作情報が用いられる。一方、読取操作者情報は、操作者の情報であり、時刻に伴って変化するものではない。そのため、読取操作者情報は、ステップ１０３の判定前のタイミング、例えば、ステップ１０１やステップ１０２の処理のタイミングで取得されてもよい。
【００７６】
また、ステップ１０４において、表示制御部３４は、操作者の視線がタッチパネル１３０に向けられた場合に、読取入力画像を表示することとしてもよい。即ち、表示制御部３４は、視線入力条件が満たされたと判定され、且つ、操作者の視線がタッチパネル１３０に向けられたと判定された場合に、読取入力画像を表示することとしてもよい。
【００７７】
さらに、上述した例では、条件判定部３３は、ステップ１０２の処理の後に、ステップ１０３の判定を行うこととしたが、このような構成に限られない。例えば標準の設定（デフォルト設定）で原稿の読み取りを行う場合には、ステップ１０２において操作者が設定を入力しないことが考えられる。そこで、例えば、ステップ１０１の処理の後に、ステップ１０３以降の処理を行ってもよい。また、例えば、ステップ１０２で操作者の設定を受け付けるのと並行して、ステップ１０３以降の処理を行ってもよい。
【００７８】
＜読取入力画像を表示して入力を受け付ける処理の具体例＞
次に、読取入力画像を表示して操作者の視線による入力を受け付ける処理について、具体例（実施例１〜３）を挙げて説明する。
【００７９】
（実施例１）
まず、実施例１について説明する。実施例１では、操作者がコピー機能を選択した後、原稿台１５を両手で押さえることにより、読取入力画像が表示される。即ち、この例では、視線入力条件が「原稿台１５上に操作者の両手がある」という条件である。
【００８０】
図７は、実施例１の処理手順を示したフローチャートである。また、図８（ａ）〜（ｃ）は、実施例１で表示される画面の一例を示す図である。図７及び図８を参照しながら、実施例１の処理について説明する。
【００８１】
まず、タッチパネル１３０には、図８（ａ）に示すメニュー画面４４が表示される。メニュー画面４４では、画像処理装置１０において実行可能な機能を示す各種のアイコンが表示される。ここで、操作入力受付部３５は、原稿の読み取りを実行する機能が操作者に選択されたか否かを判定する（ステップ２０１）。ステップ２０１で否定の判断（ＮＯ）がされた場合、本処理フローは終了する。一方、操作者が、図８（ａ）に示すコピー機能のアイコン４１を選択した場合には、操作入力受付部３５はコピー機能が選択されたと判定し、ステップ２０１で肯定の判断（ＹＥＳ）がされる。
【００８２】
ステップ２０１でコピー機能が選択されたと判定された場合（ステップ２０１でＹＥＳ）、表示制御部３４は、コピー機能の設定を受け付ける設定画面として、図８（ｂ）に示す設定画面４５を表示する。この設定画面４５上で操作者が操作することにより、操作入力受付部３５は、コピー機能についての設定を受け付ける（ステップ２０２）。ここでは、例えば、画像を形成する用紙サイズや、出力部数などの設定を受け付ける。次に、条件判定部３３は、読取動作情報取得部３１が取得した読取動作情報において、原稿台１５上に操作者の両手があるか否かを判定する（ステップ２０３）。
【００８３】
ステップ２０３で肯定の判断（ＹＥＳ）がされた場合、表示制御部３４は、図８（ｃ）に示す読取入力画像４６を表示する（ステップ２０４）。この読取入力画像４６には、「スタート」ボタン４６Ａと、「設定に戻る」ボタン４６Ｂとが含まれる。ここで、視線入力受付部３６は、操作者の視線が「スタート」ボタン４６Ａに向けられたか否かを判定する（ステップ２０５）。
【００８４】
ステップ２０５で肯定の判断（ＹＥＳ）がされた場合、コピー機能が実行される（ステップ２０６）。そして、本処理フローは終了する。一方、ステップ２０５で否定の判断（ＮＯ）がされた場合、ステップ２０２に移行する。なお、ステップ２０５で否定の判断がされた場合とは、例えば、操作者の視線が「設定に戻る」ボタン４６Ｂに向けられた場合や、一定時間内に「スタート」ボタン４６Ａ及び「設定に戻る」ボタン４６Ｂのどちらにも視線が向けられなかった場合等である。
【００８５】
また、ステップ２０３で否定の判断（ＮＯ）がされた場合、操作入力受付部３５は、操作者の操作により、コピー機能を実行する「スタート」ボタンが押下されたか否かを判定する（ステップ２０７）。この「スタート」ボタンは、読取入力画像４６の「スタート」ボタン４６Ａとは別のものであり、操作者の接触操作による入力を受け付けるボタンである。ステップ２０７で肯定の判断（ＹＥＳ）がされた場合、ステップ２０６に移行する。一方、ステップ２０７で否定の判断（ＮＯ）がされた場合、ステップ２０２に移行する。
【００８６】
（実施例２）
次に、実施例２について説明する。実施例２では、操作者がスキャン機能を選択した後、原稿台１５を予め定められた以上の力で押さえることにより、読取入力画像が表示される。即ち、この例では、視線入力条件が「原稿押さえ部材１４が開いた状態で、原稿台１５が予め定められた閾値以上の力で押されている」という条件である。
【００８７】
図９は、実施例２の処理手順を示したフローチャートである。また、図１０（ａ）〜（ｃ）は、実施例２で表示される画面の一例を示す図である。図９及び図１０を参照しながら、実施例２の処理について説明する。
【００８８】
まず、タッチパネル１３０には、図８（ａ）に示すメニュー画面４４が表示される。ここで、操作入力受付部３５は、原稿の読み取りを実行する機能が操作者に選択されたか否かを判定する（ステップ３０１）。ステップ３０１で否定の判断（ＮＯ）がされた場合、本処理フローは終了する。一方、操作者が、図８（ａ）に示すスキャン機能のアイコン４２を選択した場合には、操作入力受付部３５はスキャン機能が選択されたと判定し、ステップ３０１で肯定の判断（ＹＥＳ）がされる。
【００８９】
ステップ３０１でスキャン機能が選択されたと判定された場合（ステップ３０１でＹＥＳ）、表示制御部３４はスキャン機能の設定を受け付ける設定画面として、図１０（ａ）に示す設定画面４７を表示する。この設定画面４７上で操作者が操作することにより、操作入力受付部３５は、スキャン機能についての設定を受け付ける（ステップ３０２）。ここでは、例えば、カラー設定（カラー又は白黒）や、スキャン機能により生成された画像データの宛先などの設定を受け付ける。次に、条件判定部３３は、読取動作情報取得部３１が取得した読取動作情報において、原稿押さえ部材１４が開いた状態で、原稿台１５に対する押圧が予め定められた閾値以上であるか否かを判定する（ステップ３０３）。
【００９０】
ステップ３０３で肯定の判断（ＹＥＳ）がされた場合、表示制御部３４は、図１０（ｂ）に示す第１読取入力画像４８を表示する（ステップ３０４）。この第１読取入力画像４８には、「スタート」ボタン４８Ａと、「設定に戻る」ボタン４８Ｂとが含まれる。ここで、視線入力受付部３６は、操作者の視線が「スタート」ボタン４８Ａに向けられたか否かを判定する（ステップ３０５）。
【００９１】
ステップ３０５で肯定の判断（ＹＥＳ）がされた場合、スキャン機能が実行される（ステップ３０６）。一方、ステップ３０５で否定の判断（ＮＯ）がされた場合、ステップ３０２に移行する。なお、ステップ３０５で否定の判断がされた場合とは、例えば、操作者の視線が「設定に戻る」ボタン４８Ｂに向けられた場合や、一定時間内に「スタート」ボタン４８Ａ及び「設定に戻る」ボタン４８Ｂのどちらにも視線が向けられなかった場合等である。
【００９２】
また、ステップ３０６においてスキャン機能が実行された後、表示制御部３４は、第２読取入力画像４９を表示する（ステップ３０７）。この第２読取入力画像４９には、「続けてスキャン」ボタン４９Ａと、「スキャン終了／設定変更」ボタン４９Ｂとが表示される。ここで、視線入力受付部３６は、操作者の視線が「続けてスキャン」ボタン４９Ａに向けられたか否かを判定する（ステップ３０８）。操作者は、続けてスキャン機能を実行する場合は、次の原稿（例えば、次のページの原稿）を原稿台１５上にセットすればよい。
【００９３】
ステップ３０８で肯定の判断（ＹＥＳ）がされた場合、ステップ３０６に移行し、引き続きスキャン機能が実行される。一方、ステップ３０８で否定の判断（ＮＯ）がされた場合、図１０（ａ）に示す設定画面４７が表示される。なお、ステップ３０８で否定の判断がされた場合とは、例えば、操作者の視線が「スキャン終了／設定変更」ボタン４９Ｂに向けられた場合や、一定時間内に「続けてスキャン」ボタン４９Ａ及び「スキャン終了／設定変更」ボタン４９Ｂのどちらにも視線が向けられなかった場合等である。
【００９４】
設定画面４７が表示された後、操作入力受付部３５は、スキャン機能の終了が操作者に選択されたか否かを判定する（ステップ３０９）。ステップ３０９で肯定の判断（ＹＥＳ）がされた場合、本処理フローは終了する。一方、ステップ３０９で否定に判断（ＮＯ）がされた場合、ステップ３０２に移行する。
【００９５】
また、ステップ３０３で否定の判断（ＮＯ）がされた場合、操作入力受付部３５は、操作者の操作により、スキャン機能を実行する「スタート」ボタンが押下されたか否かを判定する（ステップ３１０）。この「スタート」ボタンは、第１読取入力画像４８の「スタート」ボタン４８Ａとは別のものであり、操作者の接触操作による入力を受け付けるボタンである。ステップ３１０で否定の判断（ＮＯ）がされた場合、ステップ３０２に移行する。一方、ステップ３１０で肯定の判断（ＹＥＳ）がされた場合、スキャン機能が実行される（ステップ３１１）。
【００９６】
次に、操作入力受付部３５は、操作者の操作により、「続けてスキャン」ボタンが押下されたか否かを判定する（ステップ３１２）。この「続けてスキャン」ボタンも、第２読取入力画像４９の「続けてスキャン」ボタン４９Ａとは別のものであり、操作者の接触操作による入力を受け付けるボタンである。ステップ３１２で肯定の判断（ＹＥＳ）がされた場合、ステップ３０２に移行する。一方、ステップ３１２で否定の判断（ＮＯ）がされた場合、本処理フローは終了する。
【００９７】
（実施例３）
次に、実施例３について説明する。実施例３では、操作者がブック設定を選択した後、原稿を原稿台１５に載せることにより、読取入力画像が表示される。即ち、この例では、ブック設定が選択された場合の視線入力条件として、「原稿台１５上に原稿が置かれた」という条件が定められている。また、ブック設定の一例として、見開き原稿のコピーを行うための機能であるブックコピー機能が選択されるものとする。
【００９８】
図１１は、実施例３の処理手順を示したフローチャートである。また、図１２（ａ）、（ｂ）は、実施例３で表示される画面の一例を示す図である。図１１及び図１２を参照しながら、実施例３の処理について説明する。
【００９９】
まず、タッチパネル１３０には、図８（ａ）に示すメニュー画面４４が表示される。ここで、操作入力受付部３５は、原稿の読み取りを実行する機能が操作者に選択されたか否かを判定する（ステップ４０１）。ステップ４０１で否定の判断（ＮＯ）がされた場合、本処理フローは終了する。一方、操作者が、図８（ａ）に示すブックコピー機能のアイコン４３を選択した場合には、操作入力受付部３５はブックコピー機能が選択されたと判定し、ステップ４０１で肯定の判断（ＹＥＳ）がされる。
【０１００】
ステップ４０１でブックコピー機能が選択されたと判定された場合（ステップ４０１でＹＥＳ）、表示制御部３４はブックコピー機能の設定を受け付ける設定画面として、図１２（ａ）に示す設定画面５０を表示する。この設定画面５０上で操作者が操作することにより、操作入力受付部３５は、ブックコピー機能についての設定を受け付ける（ステップ４０２）。この設定画面５０には、例えば、「ブック両面」という設定項目が表示される。この「ブック両面」は、とじられた原稿を見開き状態が変わらないように両面コピーするか否かを設定する項目であり、図８（ｂ）に示すコピー機能の設定画面４５には表示されないブックコピー機能特有の設定項目である。
【０１０１】
次に、条件判定部３３は、原稿台１５上に原稿が置かれたか否かを判定する（ステップ４０３）。ステップ４０３で肯定の判断（ＹＥＳ）がされた場合、表示制御部３４は、図１２（ｂ）に示す読取入力画像５１を表示する（ステップ４０４）。この読取入力画像５１には、「スタート」ボタン５１Ａと、「設定に戻る」ボタン５１Ｂとが含まれる。ここで、視線入力受付部３６は、操作者の視線が「スタート」ボタン５１Ａに向けられたか否かを判定する（ステップ４０５）。
【０１０２】
ステップ４０５で肯定の判断（ＹＥＳ）がされた場合、ブックコピー機能が実行される（ステップ４０６）。そして、本処理フローは終了する。一方、ステップ４０５で否定の判断（ＮＯ）がされた場合、ステップ４０２に移行する。なお、ステップ４０５で否定の判断がされた場合とは、例えば、操作者の視線が「設定に戻る」ボタン５１Ｂに向けられた場合や、一定時間内に「スタート」ボタン５１Ａ及び「設定に戻る」ボタン５１Ｂのどちらにも視線が向けられなかった場合等である。
【０１０３】
また、ステップ４０３で否定の判断（ＮＯ）がされた場合、操作入力受付部３５は、操作者の操作により、ブックコピー機能を実行する「スタート」ボタンが押下されたか否かを判定する（ステップ４０７）。この「スタート」ボタンは、読取入力画像５１の「スタート」ボタン５１Ａとは別のものであり、操作者の接触操作による入力を受け付けるボタンである。ステップ４０７で肯定の判断（ＹＥＳ）がされた場合、ステップ４０６に移行する。一方、ステップ４０７で否定の判断（ＮＯ）がされた場合、ステップ４０２に移行する。
【０１０４】
以上説明したように、本実施の形態に係る画像処理装置１０は、読取動作情報又は読取操作者情報が予め定められた条件を満たす場合に、読取入力画像を表示し、操作者の視線による読み取りの入力を受け付ける。原稿の読み取りを行う場合、操作者は、例えば、原稿台１５に置いた原稿の位置や角度のずれを調整することがある。しかし、例えば、見開き原稿の読み取りのために操作者が原稿を両手で押さえている場合や、操作者が荷物を持っていたり手に怪我をしたりしている場合には、操作者の両手が塞がっている可能性がある。このような場合に読み取り開始の操作のために原稿から手を離すと、原稿の位置がずれた状態で読み取りが行われてしまうことがある。
【０１０５】
そこで、本実施の形態に係る画像処理装置１０により、予め定められた条件を満たす場合に読取入力画像が表示され、操作者が原稿から手を離すことなく読み取りが開始される。そのため、例えば、読み取りに関する入力が操作者の手で行われる構成と比較して、原稿の位置がずれた状態で読み取りが行われることが抑制される。また、本実施の形態に係る画像処理装置１０により、操作者の視線を基に読み取りが開始されるため、例えば、原稿を原稿台１５に置いてから一定時間後に読み取りが開始される構成と比較して、操作者の意図したタイミングで読み取りが行われ易くなる。
【０１０６】
また、上述した例では、操作者の両手が塞がっていると想定されるような条件を視線入力条件としたが、このような構成に限られない。本実施の形態では、操作者の両手が塞がっているか否かにかかわらず、操作者の操作に支障があると想定される場合の条件を、視線入力条件としてもよい。言い換えると、操作者の両手が空いている（操作者が両手を使える）場合と比較して操作性が低下している場合の条件を、視線入力条件としてもよい。このような場合としては、例えば、操作者の片手が塞がっている場合が挙げられる。
【０１０７】
例えば、操作者が一方の手で原稿を押さえて、他方の手が空いている場合、タッチパネル１３０の配置場所によっては、他方の手でタッチパネル１３０を操作するよりも、視線による入力を受け付けた方が、操作者にとって読み取りを開始し易い場合も考えられる。そこで、操作者の片手が塞がっていると想定されるような条件を視線入力条件として予め定めておくことにより、このような場合であっても操作者の視線により原稿の読み取りが開始されることとなる。
【０１０８】
また、本発明の実施の形態を実現するプログラムは、通信手段により提供することはもちろん、ＣＤ−ＲＯＭ等の記録媒体に格納して提供することも可能である。
【０１０９】
なお、上記では種々の実施形態および変形例（実施例）を説明したが、これらの実施形態や変形例（実施例）どうしを組み合わせて構成してももちろんよい。
また、本開示は上記の実施形態に何ら限定されるものではなく、本開示の要旨を逸脱しない範囲で種々の形態で実施することができる。
【符号の説明】
【０１１０】
１０…画像処理装置、１４…原稿押さえ部材、１５…原稿台、１８…視線検知センサ、１９…第１カメラ、２０…第２カメラ、２１…制御部、３１…読取動作情報取得部、３１…読取操作者情報取得部、３３…条件判定部、３４…表示制御部、３５…操作入力受付部、３６…視線入力受付部、１３０…タッチパネル
【図１】
2019036927.tif 000003
【図２】
2019036927.tif 000004
【図３】
2019036927.tif 000005
【図４】
2019036927.tif 000006
【図５】
2019036927.tif 000007
【図６】
2019036927.tif 000008
【図７】
2019036927.tif 000009
【図８】
2019036927.tif 000010
【図９】
2019036927.tif 000011
【図１０】
2019036927.tif 000012
【図１１】
2019036927.tif 000013
【図１２】
2019036927.tif 000014